(57)【特許請求の範囲】
【請求項１】
基礎床面上に設置される固定プレート上に脚支柱を立設し該脚支柱の上端部にパネル載置用台座を備えてなる支持脚を補強するための補強装置であって、前記固定プレートを被覆して基礎床面上に接着されるベースプレート部と、該ベースプレート部と一体に形成され脚支柱を被覆する筒部と、該筒部の上部外周及び前記パネル載置用台座の外周を締め付けるキャップ部とからなる事を特徴とするフリーアクセスフロアにおける支持脚の補強装置。
【請求項２】
基礎床面上に設置される固定プレート上に脚支柱を立設し該脚支柱の上端部にパネル載置用台座を備えてなる支持脚を補強するための補強装置であって、前記固定プレートを被覆して基礎床面上に接着されるベースプレート部と脚支柱を被覆する筒部とを連続一体に形成したカバー部材と、該カバー部材の筒部外周と前記パネル載置用台座の外周を締め付け被覆するキャップ部材とからなる事を特徴とするフリーアクセスフロアにおける支持脚の補強装置。
【請求項３】
前記カバー部材及びキャップ部材を、それぞれ左右対称に分割可能に構成してなる事を特徴とする請求項２記載のフリーアクセスフロアにおける支持脚の補強装置。
【請求項４】
前記キャップ部材を左右対称に分割可能に形成すると共に、両者を蝶番で開閉自在に連結してなる事を特徴とする請求項２記載のフリーアクセスフロアにおける支持脚の補強装置。
【発明の詳細な説明】
【０００１】
【発明の属する技術分野】
本発明は、フリーアクセスフロアにおいて床パネルを載承している支持脚を補強するための補強装置に関し、更に詳しくは、基礎床面上に設置される固定プレート上に脚支柱を立設しその脚支柱の上端部にパネル載置用台座を備えてなる支持脚を補強するためのフリーアクセスフロアにおける支持脚の補強装置に関するものである。
【０００２】
【従来の技術】
この種の支持脚は、振動特に横方向の振動を受けると、脚支柱が固定プレートとの付け根部分から折れ曲りやすかった。
【０００３】
【発明が解決しようとする課題】
本発明はこの様な不具合に鑑みてなされたものであり、比較的簡単な構造でもって支持脚を補強することが出来ると共に、新設のフリーアクセスフロアは勿論のこと既設のフリーアクセスフロアにおいても、フロア上に什器等を配設したままでも支持脚の補強工事を行なうことが可能なフリーアクセスフロアにおける支持脚の補強装置を提供せんとするものである。
【０００４】
【課題を解決するための手段】
斯る目的を達成する本発明の請求項１記載のフリーアクセスフロアにおける支持脚の補強装置は、基礎床面上に設置される固定プレート上に脚支柱を立設し該脚支柱の上端部にパネル載置用台座を備えてなる支持脚を補強するための補強装置であって、前記固定プレートを被覆して基礎床面上に接着されるベースプレート部と、該ベースプレート部と一体に形成され脚支柱を被覆する筒部と、該筒部の上部外周及び前記パネル載置用台座の外周を締め付けるキャップ部とからなる事を特徴としたものである。
また、本発明の請求項２に記載の補強装置は、前記固定プレートを被覆して基礎床面上に接着されるベースプレート部と脚支柱を被覆する筒部とを連続一体に形成したカバー部材と、該カバー部材の筒部外周と前記パネル載置用台座の外周を締め付け被覆するキャップ部材とからなる事を特徴としたものである。
この時、前記カバー部材及びキャップ部材をそれぞれ左右対称に分割可能に構成すると共に、左右対称に分割可能に構成した前記キャップ部材の両者を互いに蝶番で開閉自在に連結せしめることが好ましい（請求項３，４）。
【０００５】
【発明の実施の形態】
以下、本発明の具体的な実施例を図面に基づいて説明する。
図中、Ａは支持脚を示し、Ｂは本発明に係る支持脚の補強装置を示す。
【０００６】
支持脚Ａは、従来品と同様に、コンクリートスラブなどの基礎床面Ｃ上に設置され捩子や接着剤等で固着される固定プレート１と、その固定プレート１の上面中央に溶接等により鉛直状に立設される脚支柱２と、脚支柱２の上端部に上下動可能に嵌合装着されて床パネルＤを載承するパネル載置用台座３とで構成されている。
【０００７】
そして、本発明に係る補強装置Ｂは、基礎床面Ｃ上に設置された支持脚Ａの固定プレート１を被覆すると共に基礎床面Ｃ上に接着剤で接着されるベースプレート部４と、支持脚Ａの脚支柱２を被覆する筒部５と、支持脚Ａのパネル載置用台座３の外周を締め付け被覆するキャップ部６とからなる。
【０００８】
ベースプレート部４は、支持脚Ａの固定プレート１上面を完全に被覆し得るように、鉄板等を用いて支持脚Ａの固定プレート１より一回りから二回り程度大きな矩形状に形成し、周縁部分４ａを適当な幅で平坦に形成する共に、その周縁部分４ａから中央上方に向けて緩い隆丘状に形成する。
尚、図中４ｂは、ベースプレート部４を基礎床面Ｃの上面に接着剤で固着する際に、接着剤が当該ベースプレート部４の周縁部分４ａ下面に十分行き渡っているかどうかを確認するための穴である。
【０００９】
また、筒部５は、支持脚Ａの脚支柱２の外側を被覆し得るように脚支柱２の外径より大径で且つ脚支柱２の長さとほぼ同じかやや短い円筒形状に形成するが、上記ベースプレート部４と一緒になってカバー部材７を構成するべく、プレス成型により上記ベースプレート部４と同一体に成形するか、或いは鉄板等を用いて別体に成形し上記ベースプレート部４の上部中央に一体に溶接する。
【００１０】
カバー部材７は、支持脚Ａの固定プレート１を被覆するベースプレート部４と支持脚Ａの脚支柱２を被覆する筒部５とを連続一体に形成して構成される。
この時、カバー部材７を図示実施例の如く、縦方向に左右対称に分割可能に構成することが好ましい。
【００１１】
即ち、図示実施例のカバー部材７は、ベースプレート部４と筒部５を連続一体に形成すると共に、縦方向に左右対称に２つに分割形成し、２つに分割したカバー部材の一方７ａのベースプレート部４には合わせ部７ｃに複数個の連結片４１を突設し、他方のカバー部材７ｂのベースプレート部４には上記連結片４１と対応する位置にビス用タップ穴４２を形成してタップネジ４３で分離可能に連結せしめ、また一方のカバー部材７ａの筒部５には、互いに合体させた時に合わせ部７ｃが接合しやすいように、内側に略直角に折り曲げた接合フランジ５１を形成したものである。尚、カバー部材７を分割可能に構成する機構手段は、図示実施例に限定されるものではない。
【００１２】
そして、支持脚Ａのパネル載置用台座３の外周を締め付け被覆するキャップ部６は、上記カバー部材７の筒部５と連続一体に形成しても良いが、図示実施例の如くキャップ部材８としてカバー部材７とは別体に形成することが好ましい。
【００１３】
キャップ部材８は、鉄板等を用いてカバー部材７の筒部５上部から支持脚Ａのパネル載置用台座３下部にわたって被覆し得る長さを有する略円筒形状に形成すると共に、縦方向に左右対称に２つに分割可能に構成する。即ち、略半円筒形状に２つに分割形成したキャップ部材の両者８ａ，８ｂを、蝶番８１で開閉自在に連結すると共に、蝶番８１と反対側にボルト８３とナット８４で締め込む締結片８２を外側に向け一体に突設してなる。
【００１４】
更に、キャップ部材８は、両者８ａ，８ｂの締結片８２をボルト８３とナット８４で締結した時に、カバー部材７の筒部５上部を外周から少し締め込むことができる大きさに内径を設定すると共に、両者８ａ，８ｂの内側に支持脚Ａのパネル載置用台座３の下部３ａに四方から押圧当接する当接片８５を軸方向に沿って突設する。
【００１５】
この際、上記当接片８５は、キャップ部材８の全長に対して半分から１／３程度の長さに設定する。そうすれば、支持脚Ａの高さ調整を行ないパネル載置用台座３が上下に移動した時や、パネル載置用台座３の下部３ａの長さが異なるものにも対応することが出来るようになる。
尚、キャップ部材８を分割可能に構成する機構手段は、図示実施例に限定されるものではなく、例えば蝶番８１を用いずに両側に締結片８２を突設させてボルト・ナットで連結させるようにしても良い。
【００１６】
而して、支持脚Ａの補強を行なう場合には、図示実施例の補強装置Ｂの場合、支持脚Ａのパネル載置用台座３上に床パネルＤを載置させる前または載置させたままの状態で、作業者が基礎床面Ｃ上にたって、若しくわ既に敷設した床パネルＤ上から手を差し入れるなりして、支持脚Ａの左右方向から２つに分割したカバー部材７を合体させて支持脚Ａの固定プレート１及び脚支柱２を被覆すると共に、ベースプレート部４の連結片４１とビス用タップ穴４２とにわたってタップネジ４３を捩じ込んで互いに連結し、ベースプレート部４を基礎床面Ｃ上に接着剤で接着固定する。
【００１７】
然る後、２つに分割し蝶番８１で開閉自在に連結したキャップ部材８を、支持脚Ａの左右方向から合体させて、両者８ａ，８ｂの締結片８２をボルト８３とナット８４で締結する。すると、キャップ部材８の内周面でもってカバー部材７の筒部５上部が外周から少し締め込まれキャップ部材８と一体化すると同時に、キャップ部材８の内側に突設せしめた当接片８５が支持脚Ａのパネル載置用台座３の下部３ａに四方から押圧当接してキャップ部材８と一体化する。これで、支持脚Ａに対する組付け、すなわち支持脚Ａの補強工事が完了する。
【００１８】
【発明の効果】
本発明のフリーアクセスフロアにおける支持脚の補強装置は斯様に、支持脚の固定プレートを被覆して基礎床面上に接着されるベースプレート部と、該ベースプレート部と一体に形成され支持脚の脚支柱を被覆する筒部と、該筒部の上部外周及び支持脚のパネル載置用台座の外周を締め付けるキャップ部とから構成してなるので、支持脚を比較的簡単な構造でもって各支持脚ごとに簡便に補強することが出来る。
【００１９】
しかも、請求項３や請求項４に記載した支持脚の補強装置のように、カバー部材やキャップ部材をそれぞれ左右対称に分割可能に構成することにより、新設のフリーアクセスフロアは勿論のこと既設のフリーアクセスフロアにおいても、フロア上に什器等を配設したままでも支持脚の補強工事を行なうことが可能となる。
【００２０】
また、請求項２に記載した支持脚の補強装置のように、支持脚の固定プレートを被覆して基礎床面上に接着されるベースプレート部と脚支柱を被覆する筒部とを連続一体に形成したカバー部材と、該カバー部材の筒部外周とパネル載置用台座の外周を締め付け被覆するキャップ部材とを別々に形成することにより、カバー部材の筒部とキャップ部材との重なり具合を変更するだけで、支持脚の高さ調整を行ないパネル載置用台座が上下に移動した場合やパネル載置用台座の下部の長さや大きさが異なる場合にも容易に対応することが出来るようになり、一種類の補強装置でもって汎用性を持たせることができる。
【図面の簡単な説明】
【図１】    本発明実施の一例を示す斜視図。
【図２】    図１の（Ｘ）−（Ｘ）線に沿う断面図。
【図３】    図２の（Ｙ）−（Ｙ）線に沿う断面図。
【図４】    図２の（Ｚ）−（Ｚ）線に沿う断面図。
【図５】    分解斜視図。
【符号の説明】
Ａ……支持脚                    Ｂ……本補強装置
Ｃ……基礎床面                  Ｄ……床パネル
１……固定プレート              ２……脚支柱
３……パネル載置用台座          ４……ベースプレート部
５……筒部                      ６……キャップ部
７……カバー部材                ８……キャップ部材
８１…蝶番
【図１】
0003773217.tif 000002
【図２】
0003773217.tif 000003
【図３】
0003773217.tif 000004
【図４】
0003773217.tif 000005
【図５】
0003773217.tif 000006